(57)【要約】  【課題】引出し装置を備えた冷蔵庫に関し、ガタツキの少ない高品位かつ荷重を加えても操作力の小さい安全で品位に優れた引出しを有する冷蔵庫を提供すること。  【解決手段】レール部材３１を構成する固定レール３１ａと移動レール３１ｂと中間レール３１ｃとベアリング３１ｄとを予め組み込んだ状態で、固定レール３１ａを断熱箱体１９の真空断熱材２１ａを配設した壁面に固定し、容器３３をレール部材３１に支持することで、熱影響を受けにくく省エネを達成しながら、ガタツキが小さく、容器に荷重を加えた場合でも滑らかに引出しを開閉することができ、高品位で使い勝手の良い引出し収納を達成することができる。【選択図】図３
2006038248.tif 000002
【特許請求の範囲】
【請求項１】
内箱と真空断熱材を配設した外箱と、前記内箱と外箱間に充填した発泡断熱材とよりなる前面開口部を有する断熱箱体と、前記断熱箱体内部に備えた容器と前記容器を前後に移動可能とするレール部材からなり、前記レール部材を左右に設け、前記レール部材は固定レールと移動レールとを有し、前記固定レールと移動レールとの間に中間走行レールを備えそれぞれ回転支持部材で支持され前記固定レールと移動レールを予め組み込んだ状態で前記レール部材の固定レールを断熱箱体の前記真空断熱材を配設した壁面に固定し、容器を前記レール部材に支持することを特徴とする冷蔵庫。
【請求項２】
レール部材の固定レールを位置規制する補強部材を、真空断熱材を配設した断熱箱体内に埋設することを特徴とする請求項１に記載の冷蔵庫。
【請求項３】
レール部材の固定レールを位置規制する補強部材と真空断熱材との距離を１０ｍｍ以上設けたことを特徴とする請求項２に記載の冷蔵庫。
【請求項４】
各貯蔵室にそれぞれレール部材を備え、それぞれのレール部材の固定レールを独立した補強部材で位置規制し固定したことを特徴とする請求項１から３のいずれか一項に記載の冷蔵庫。
【請求項５】
補強部材は線膨張率が１．０〜３．０×１０−６ｃｍ／ｃｍ・℃としたことを特徴とする請求項２から４のいずれか一項に記載の冷蔵庫。
【発明の詳細な説明】
【技術分野】
【０００１】
本発明は、引出し装置を備えた冷蔵庫に関し、特に引出しレールと扉との支持構成に関するものである。
【背景技術】
【０００２】
近年、冷蔵庫は大型化に伴い、収納量が増加の傾向にあり、収納量の増加、使い勝手の向上を図るため、引出し装置を備えたものが主流となってきている（例えば、特許文献１参照）。
【０００３】
以下、図面を参照しながら、上記従来の引出し装置を備えた冷蔵庫について説明する。
【０００４】
図６は、従来の冷蔵庫の引出し式扉の斜視図である。図７は従来の冷蔵庫の引出し装置の要部断面図である。図８は、従来の冷蔵庫の引出し装置の断面図である。従来技術の冷蔵庫の引出し装置１７は、冷蔵庫本体前面の開閉自在の扉１と、この扉裏面左右に一端を固定したフレーム２と、後端を連結した連結フレーム１６と、フレーム２の後端に取り付けられた可動ローラ３と、内箱側壁４に固定，取付けられた前記フレーム２と可動ローラ３を摺動支持する固定レール５と固定ローラ６と、前記フレーム２と、連結フレーム１６に載置された庫内ケース１５で構成される。また、フレーム側面９は平面であり、固定レール５の溝部１２も平面である。
【０００５】
そして、扉１の扉裏面左右にあらかじめ固定したフレーム２の後端に取り付けられた可動ローラ３を、冷蔵庫本体側にあらかじめ取り付けた固定レール５の溝部１２に挿入し、フレーム２の底面と固定ローラ６が接して摺動するように組み込まれるものである。
【０００６】
上記構成において、扉１を開閉すると、扉１に一端を固定したフレーム２と、フレーム２に連結された連結フレーム１６と、これらに載置された庫内ケース１５と可動ローラ３が、固定レール５と固定ローラ６上を摺動し、扉１と同期した前後方向の動きを可能としている。
【特許文献１】実公昭６０−２７９１３号公報
【発明の開示】
【発明が解決しようとする課題】
【０００７】
しかしながら、上記従来の冷蔵庫では、扉１の扉裏面左右にあらかじめ固定したフレーム２を冷蔵庫本体側にあらかじめ取り付けた固定レール５に組み込んで使用するため、フレーム２あるいは固定レール５の取付ばらつき、組立性を考慮して、組み込み状態でレールとローラ間には、ある程度のクリアランスを設定して設計している。このクリアランスにより扉１の開閉時に左右のガタツキが生じ、操作性が損なわれたり、操作時の品位が上がらないという課題を有していた。
【０００８】
本発明は上記従来の課題を解決するものであり、ガタツキの少ない高品位かつ荷重を加えても操作力の小さい使い勝手の良い引出しを有すると共に、省電力化に優れた断熱箱体からなる冷蔵庫を提供することを目的とする。
【課題を解決するための手段】
【０００９】
上記従来の課題を解決するために、本発明の冷蔵庫は、真空断熱材を配設した断熱箱体よりなり、固定レールと移動レールと中間レールとをあらかじめ組み込んだ状態のレール部材の固定レールを断熱箱体の真空断熱材を配設した壁面に固定し、容器を前記レール部材に支持するものである。
【００１０】
これによって固定レールと移動レールとのクリアランスを小さくすることができ、ガタの少ない高品位で滑らかな引出しを構成することができるとともに、真空断熱材を配設した断熱箱体の壁面にレール部材を固定することで外気からの熱影響を受けにくく、また各貯蔵室からの熱リークの影響を抑えることができる。
【発明の効果】
【００１１】
本発明の冷蔵庫は、熱影響を受けにくく省エネを達成しながら、ガタツキが小さく、容器に荷重を加えた場合でも滑らかに引出しを開閉することができ、高品位で使い勝手の良い引出し収納を達成することができる。
【発明を実施するための最良の形態】
【００１２】
請求項１に記載の発明は、内箱と真空断熱材を配設した外箱と、前記内箱と外箱間に充填した発泡断熱材とよりなる前面開口部を有する断熱箱体と、前記断熱箱体内部に備えた容器と前記容器を前後に移動可能とするレール部材からなり、前記レール部材を左右に設け、前記レール部材は固定レールと移動レールとを有し、前記固定レールと移動レールとの間に中間走行レールを備えそれぞれ回転支持部材で支持され前記固定レールと移動レールを予め組み込んだ状態で前記レール部材の固定レールを断熱箱体の前記真空断熱材を配設した壁面に固定し、容器を前記レール部材に支持するものであり、固定レールと移動レールとをあらかじめ組み込んだ状態のレール部材を適用することにより固定レールと移動レールのクリアランスを小さくすることができ、ガタの少ない高品位な引き出しを構成することができる。また、固定レールと移動レールとの間を回転支持部材で支持することにより容器に荷重を加えた場合でも滑らかに移動レールが移動できるので引き出しの操作力を低減することができ、使い勝手の向上を図ることができる。また、真空断熱材を配設した断熱箱体の壁面にレール部材の固定レールを固定しているため断熱性能に優れ、外気からの熱影響をうけにくいため省エネに寄与することができるとともに、断熱箱体の構造強度を高めることができる。
【００１３】
請求項２に記載の発明は、請求項１に記載の発明において、レール部材の固定レールを位置規制する補強部材を、真空断熱材を配設した断熱箱体内に埋設するものであり、レール部材の操作性確保、組立信頼性の確保を図ることが出来る。また発泡断熱材内に埋設することにより、冷蔵庫使用時における補強部材の結露、着霜防止、更に空気と接しないため、耐食性を向上させることができる。
【００１４】
請求項３に記載の発明は、請求項２に記載の発明において、レール部材の固定レールを位置規制する補強部材と真空断熱材との距離を１０ｍｍ以上設けたものであり、発泡断熱材の充填性に優れ、レール部材の取付け強度をさらに優れた断熱箱体とすることができる。
【００１５】
請求項４に記載の発明は、請求項１から３のいずれか一項に記載の発明において、各貯蔵室にそれぞれレール部材を備え、それぞれのレール部材の固定レールを独立した補強部材で位置規制し固定したものであり、小型で組立性に優れ、組み立て信頼性の確保を図ることができる。
【００１６】
請求項５に記載の発明は、請求項２からの４のいずれか一項に記載の発明において、補強部材は線膨張率が１．０〜３．０×１０−６ｃｍ／ｃｍ・℃としたものであり、線膨張率が小さい材料で補強することにより、冷蔵庫の運転時に補強部材が収縮することによる操作性への影響を低減できレール部材の操作信頼性を向上させることができる。
【００１７】
以下、本発明の実施の形態について、図面を参照しながら説明する。なお、この実施の形態によってこの発明が限定されるものではない。
【００１８】
（実施の形態１）
図１は本発明の実施の形態１における冷蔵庫の縦断面図、図２は図１の要部拡大図、図３は図１のＡ−Ａ断面図、図４は同実施形態の冷蔵庫のレール部材の分解組立図、図５は同実施形態の冷蔵庫のレール部材の断面図である。
【００１９】
図１から図５において、冷蔵庫１８の断熱箱体１９は内箱２０と真空断熱材２１ａを配設した外箱２１との間に発泡断熱材２２を充填したものであり、前面開口部１９ａを有し、仕切壁２３、２３ａ、２６により、上部より冷蔵室２４、切替室２５、野菜室２７、冷凍室２８を形成している。
【００２０】
また、仕切壁２６の両側面は開放部２６ａを有し、仕切壁２６内部には断熱箱体１９と同様に発泡断熱材２２が充填されている。
【００２１】
野菜室２７と冷凍室２８とはそれぞれ前面開口部１９ａを野菜室ドア２９と冷凍室ドア３０にて閉塞され、更に野菜室２７と野菜室ドア２９および冷凍室２８と冷凍室ドア３０とはそれぞれレール部材３１にて連結されることにより前後方向に引出し摺動可能となっている。
【００２２】
また各貯蔵室の容器３３はレール部材３１を庫内に取り付け後、移動レール３１ｂに扉支持部材３７を配置、固定され、各貯蔵庫室ドアを前後方向に引き出すのと同期して移動し、更に各貯蔵室を少なくとも全開したときに容器３３は上方向に着脱自在となっている。
【００２３】
補強部材３２はレール部材３１の位置規制手段であり、レール部材３１を前後方向に摺動可能とする前面開口部１９ａから貯蔵室の両側部に備えられレール部材３１の固定レール３１ａと固定されている。更に補強部材３２は真空断熱材２１ａと１０ｍｍ以上の距離を設けて内箱２０に固定され発泡断熱材２２により埋設されている。
【００２４】
レール部材３１は固定レール３１ａと、扉支持部材３７を配置し固定した移動レール３１ｂと、固定レール３１ａと移動レール３１ｂとの間に備えられた中間走行レール３１ｃと、中間走行レール３１ｃと固定レール３１ａおよび移動レール３１ｂとの係合を支持する回転支持部材である複数のベアリング３１ｄよりなる。
【００２５】
なお、固定レール３１ａと移動レール３１ｂと、固定レール３１ａと移動レール３１ｂとの間にベアリング３１ｄを介して配設した中間走行レール３１ｃとを有するレール部材３１は、予め組み込んだ状態で固定された固定レール３１ａを、補強部材３２とで位置規制され固定されており、それぞれのレール間のクリアランスを最小限に設定することができる。
【００２６】
また、貯蔵室ドアの発泡断熱材側に扉支持部材３７の取付け用扉補強材３６を設けたことにより移動レール３１ｂの固定が安定したものとなり、レール部材３１の位置規制がさらに確実なものになる。
【００２７】
また補強部材３２は独立してレール部材３１の固定レール３１ａと位置規制されており、その線膨張率が１．０〜３．０×１０−６ｃｍ／ｃｍ・℃である材料にて構成されている。
【００２８】
以上のように構成された冷蔵庫について、以下その動作、作用を説明する。
【００２９】
まず、各貯蔵室ドアを手前に引出すと各貯蔵室の両側部に備えられたレール部材３１の移動レール３１ｂと中間走行レール３１ｃとが回転支持部材３１ｄが回転することにより滑らかに手前側に摺動する。
【００３０】
それに伴い、レール部材３１に配置された扉支持部材３７により支持された容器３２も手前に引き出され、容器３３内に収納された被冷却物の取出し及び新たな被冷却物の収納が可能となる。
【００３１】
以上のように本実施の形態においては固定レール３１ａと移動レール３１ｂとをあらかじめ組み込んだ状態のレール部材３１を両側壁面に固定することにより固定レール３１ａと移動レール３１ｂとのクリアランスを小さくすることができ、ガタの少ない高品位な引出しを構成することができる。また、クリアランスを小さくすることにより取り付けのバラツキも小さくできるのでドアの取り付け不具合による傾きやほかのドアとの感覚の不均一化という概観不良も抑制することができる。また、固定レール３１ａと移動レール３１ｂとの間を回転支持部材であるベアリング３１ｄで支持することにより容器３３に荷重を加えた場合でも滑らかに移動レール３１ｂが移動できるので引出しの操作力を低減することができ、使い勝手の向上を図ることができる。
【００３２】
また、補強部材３２によりレール部材３１の固定レール３１ａの取付けを位置規制することで左右一対のレール部材３１の幅寸法あるいは平行度が規定どおりに保持できることと、補強部材３２は、真空断熱材２１ａを配設した断熱箱体１９の発泡断熱材２２充填後の冷却時の熱収縮による寸法変化を抑制できる。また固定レール３１ａと移動レール３１ｂとのクリアランスを小さく設定したレール部材３１をあらかじめ組み込んだ状態で両側面の固定部側に固定する使用としても左右一対のレール部材３１間の寸法制度を高く保てるので容器３３の引き出し時の操作性を、位置規制手段である補強部材３２により高めることができる。また、長期にわたって操作性信頼性の確保も図ることができる。
【００３３】
また中間レール３１ｃを備えることにより、レール部材３１の移動レール３１ｂの引き出し代を大きくすることができ、容器３３の奥まで引き出せるため、容器３３の奥部まで見渡すことが可能で容器３３内の被冷却物の使い忘れによるロスの防止、容器３３の取り外しが容易となり使い勝手の向上を図ることができる。
【００３４】
また左右の固定レール３１ａを位置規制した補強部材３２を真空断熱材２１ａを配設した断熱箱体１９の発泡断熱材２２内に埋設したので冷蔵庫１８の使用時による結露、着霜が生じることがなく、さらに空気と接しないため耐食性に優れ、安価な構造体とすることが出来る。また真空断熱材２１ａを配設した断熱箱体としているため外気からの吸熱に影響されにくく省エネ効果を図ることができる。さらに真空断熱材２１ａは発泡断熱材２２よりも圧縮強度、曲げ強度の高いものを適用することで、断熱箱体自身の構造強度を高めながら引出し扉の摺動性を高めることができる。
【００３５】
また固定レール３１ａを位置規制する補強部材３２は、真空断熱材２１ａと１０ｍｍ以上の距離を確保しているため発泡断熱材２２の流動性を確保でき所定の断熱性能を備えた断熱箱体１９を提供できる。
【００３６】
また補強部材３２は、それぞれ独立してレール部材３１の固定レール３１ａを位置規制しているため各貯蔵室からの熱伝達による熱リークがなく省エネにも寄与するとともに小型化できコストダウンを図ることもできる。
【００３７】
また補強部材３２の線膨張率を１．０〜３．０×１０−６ｃｍ／ｃｍ・℃としたことになり冷蔵庫１８の運転時収縮することによる影響を抑えレール部材３１の操作信頼性を向上することができる。
【産業上の利用可能性】
【００３８】
以上のように、本発明にかかる冷蔵庫は、ガタが小さく、容器に荷重を加えた場合でも滑らかに引出しを開閉することができ、高品位で使い勝手の良い引出し収納ができるので、冷凍装置を備えた冷却貯蔵庫の引出し装置等の用途にも適用できる。
【図面の簡単な説明】
【００３９】
【図１】本発明の実施の形態１における冷蔵庫の縦断面図
【図２】図１の要部拡大図
【図３】図１のＡ−Ａ断面図
【図４】同実施形態の冷蔵庫のレール部材の分解組立図
【図５】同実施形態の冷蔵庫のレール部材の断面図
【図６】従来の冷蔵庫の引出し式扉の斜視図
【図７】従来の冷蔵庫の引出し装置の要部断面図
【図８】従来の冷蔵庫の引出し装置の断面図
【符号の説明】
【００４０】
１８  冷蔵庫
１９  断熱箱体
１９ａ  前面開口部
２０  内箱
２１  外箱
２１ａ  真空断熱材
２２  発泡断熱材
３１  レール部材
３１ａ  固定レール
３１ｂ  移動レール
３１ｃ  中間レール
３１ｄ  ベアリング
３２  補強部材
３３  容器
３７  扉支持部材
３８  庫外側面側
【図１】
2006038248.tif 000003
【図２】
2006038248.tif 000004
【図３】
2006038248.tif 000005
【図４】
2006038248.tif 000006
【図５】
2006038248.tif 000007
【図６】
2006038248.tif 000008
【図７】
2006038248.tif 000009
【図８】
2006038248.tif 000010